(57)【要約】  本発明は一様に金属化された領域と一様に透明な領域とが表面の長手方向に交互に形成された支持体を有して成るドキュメント保護ストリップであって、この交互配列により、適用されたドキュメントの複製防止手段となる、そのドキュメントにおいて広域と見なされる規模のコントラストを形成できるストリップである。このストリップはその一様に金属化された領域および/または一様に透明な領域に関連付けられ、そのドキュメントの真正を確認するための認識可能な記号を形成できる、そのドキュメントにおいて精細と認定される規模の光学効果をもたらす光学活性素子を更に有して成ることを特徴とするものである。
2007514562.tif 000002
【特許請求の範囲】
【請求項１】
一様に金属化された領域と一様に透明な領域とが表面の長手方向に交互に形成された支持体を有して成るドキュメント保護ストリップであって、該交互配列により、適用されたドキュメントの複製防止手段となる、該ドキュメントにおいて広域と見なされる規模のコントラストを形成できるストリップにおいて、
前記一様に金属化された領域および/または一様に透明な領域に関連付けられ、前記ドキュメントの真正を確認するための認識可能な記号を形成できる、該ドキュメントにおいて精細と認定される規模の光学効果をもたらす光学活性素子を更に有して成ることを特徴とするストリップ。
【請求項２】
前記精細規模の光学効果がコントラストであることを特徴とする請求項１記載のストリップ。
【請求項３】
前記精細規模の光学効果が照明角度および/または観察角度に応じた視覚効果であることを特徴とする請求項１または２記載のストリップ。
【請求項４】
前記一様に透明な領域が肉眼で見える光沢効果をもたらすニスに関連付けられていることを特徴とする請求項１〜３いずれか１項記載のストリップ。
【請求項５】
前記光学活性素子が金属化によって形成された光学活性構造体から成ることを特徴とする請求項１〜４いずれか１項記載のストリップ。
【請求項６】
前記光学活性素子が光学可変素子から成ることを特徴とする請求項１〜５いずれか１項記載のストリップ。
【請求項７】
少なくとも一部の前記光学活性構造体が、回折線から成る区域、純反射性金属化区域、回折マットから成る区域、ホログラムから成る区域、一様に金属化された領域における非金属化領域、印刷を施した区域、および一様に透明な領域における金属化区域のうちのひとつ以上の保護素子を有して成ることを特徴とする請求項１〜６いずれか１項記載のストリップ。
【請求項８】
少なくとも一部の前記光学活性構造体が、それぞれ異なる区域から成り、そのうちの一部が少なくともひとつの前記保護素子を有して成ることを特徴とする請求項７記載のストリップ。
【請求項９】
少なくとも一部の前記区域が肉眼では即座に確認できない大きさの区域であることを特徴とする請求項８記載のストリップ。
【請求項１０】
少なくとも一部の前記光学活性素子が一様に金属化された領域に関連付けられていることを特徴とする請求項１〜９いずれか１項記載のストリップ。
【請求項１１】
前記光学活性素子が回折性金属化領域に組み込まれた回折マットから成ることを特徴とする請求項１０記載のストリップ。
【請求項１２】
前記光学活性素子が純反射性金属化領域から成ることを特徴とする請求項１０記載のストリップ。
【請求項１３】
前記光学活性素子が、少なくとも一部の一様に回折性を有して成る領域である前記一様に金属化された領域のストリップの長手方向のそれぞれの側に配された純反射性金属化領域から成ることを特徴とする請求項１２記載のストリップ。
【請求項１４】
各々の前記一様に金属化され回折性を有して成る領域のそれぞれの側に純反射性金属化領域が当接配置されていることを特徴とする請求項１３記載のストリップ。
【請求項１５】
各々の前記一様に金属化され回折性を有して成る領域のストリップの長手方向のそれぞれの側に該領域と間隔を設けて純反射性金属化領域が配されていることを特徴とする請求項１３記載のストリップ。
【請求項１６】
前記間隔が透明であることを特徴とする請求項１５記載のストリップ。
【請求項１７】
少なくとも一部の前記光学活性素子が一様に透明な領域に関連付けられていることを特徴とする請求項１〜１６いずれか１項記載のストリップ。
【請求項１８】
前記光学活性素子が、少なくとも一部の前記一様に透明な領域のストリップの長手方向のそれぞれの側に配された純反射性金属化領域から成ることを特徴とする請求項１２と組み合わせた請求項１７記載のストリップ。
【請求項１９】
各々の前記一様に透明な領域のそれぞれの側に純反射性金属化領域が当接配置されていることを特徴とする請求項１８記載のストリップ。
【請求項２０】
各々の前記一様に透明な領域のストリップの長手方向のそれぞれの側に該領域と間隔を設けて純反射性金属化領域が配されていることを特徴とする請求項１８記載のストリップ。
【請求項２１】
前記間隔が金属化され回折性を有して成る区域、および/または印刷を施した区域、および/または回折マット、および/またはホログラムを有して成る間隔であることを特徴とする請求項２０記載のストリップ。
【請求項２２】
前記光学活性素子が前記一様に金属化された領域および/または一様に透明な領域と整合関係にあることを特徴とする請求項１〜２１いずれか１項記載のストリップ。
【請求項２３】
発光モチーフまたは吸収モチーフに更に関連付けられていることを特徴とする請求項１〜２２いずれか１項記載のストリップ。
【請求項２４】
前記発光モチーフまたは吸収モチーフが重複して印刷されていることを特徴とする請求項２３記載のストリップ。
【請求項２５】
前記印刷が一様に金属化された領域の少なくとも一部に重複して施されていることを特徴とする請求項２４記載のストリップ。
【請求項２６】
前記印刷が一様に透明な領域の少なくとも一部に重複して施されていることを特徴とする請求項２４記載のストリップ。
【請求項２７】
前記発光モチーフまたは吸収モチーフが内部に組み込まれていることを特徴とする請求項２３記載のストリップ。
【請求項２８】
請求項１〜２７いずれか１項記載のストリップを組み込んで成るセキュリティー・ドキュメント。
【発明の詳細な説明】
【技術分野】
【０００１】
本発明は一様に金属化された領域と一様に透明な領域とが表面の長手方向に交互に形成された支持体を有して成るドキュメント保護ストリップであって、この交互配列により適用されたドキュメントの複製防止手段となる、そのドキュメントにおいて広域と見なされる規模のコントラストを形成できるストリップに関するものである。また、本発明はこのようなストリップが適用されたセキュリティー・ドキュメントに関するものでもある。
【０００２】
このようなセキュリティー・ドキュメントには、例えば、銀行紙幣、公文書等の信用文書がある。
【背景技術】
【０００３】
セキュリティー・ドキュメントに適用される前記のようなストリップは既に知られている。
【０００４】
図１は一般に知られている種類のストリップ１０を示している。
【０００５】
ストリップ１０は表面に一様に金属化された領域１１が形成された連続した細長の支持体を有している。
【０００６】
このストリップは一般的な多層構造とすることができる。
【０００７】
この一様に金属化された領域は、一様に透明な領域１２を間に設けてストリップの長手方向（図中Ｘで示す方向）に配されている。
【０００８】
一様に金属化された領域１１および一様に透明な領域１２はストリップの長手方向に交互に配列されている。従って、一様に金属化された領域１１は不連続の金属化素子を構成している。
【０００９】
前記領域は、例えば、滑らかな純反射性金属化領域とすることができる。
【００１０】
ストリップ１０のような周知のストリップはドキュメントに適用可能なセキュリティー記号を構成することができる。
【００１１】
ストリップをドキュメントに適用する方法には支持体を含むストリップ全体をドキュメントに転写する方法がある。
【００１２】
この場合、支持体は（少なくとも領域１２に対向する部分が）透明である必要がある。
【００１３】
ストリップの特定の領域（例えば、一様に金属化された領域１１）を選択的に転写することもできる。
【００１４】
別の方法（型押し等）によっても保護すべきドキュメントにストリップを適用することができる。
【００１５】
図２は図１に示す種類のストリップが適用された銀行紙幣のようなドキュメント２０を示している。
【００１６】
ストリップの一様に金属化された領域がドキュメント上に現れ、セキュリティー・マークを構成している。
【００１７】
ストリップを紙幣に適用した後、一様に金属化された領域１１と領域１１との間の領域を肉眼で見える効果をもたらすニスまたはラッカーで覆うことができる。例えば、このニスをストリップの支持体に関連付けられたストリップ層とすることができる。
【００１８】
このような保護ストリップの例が特許文献１に開示されている。
【００１９】
前記のように、このような保護ストリップはドキュメントのセキュリティー・マークを構成することができる。
【００２０】
特に、ストリップの長手方向において、各々の一様に金属化された領域１１がそれを囲む一様に透明な領域１２と高いコントラストを成している。
【００２１】
このコントラストが保護すべきドキュメントにおいて広域と認定される規模のコントラストに対応するようこれ等の領域が充分大きく選択される。
【００２２】
特に、この広域規模のコントラスト（またはマクロ・コントラスト）が、ストリップが適用されたドキュメントの（例えば、コピー機による）複製を良好に防止する機能を果たす。
【特許文献１】欧州特許第５２２２１７号明細書
【発明の開示】
【発明が解決しようとする課題】
【００２３】
本発明の目的は前記一般的な種類のドキュメント保護ストリップに関連したセキュリティー・レベルを向上させることである。
【００２４】
本発明の別の目的は、複製を防止する上において有効なセキュリティー・ドキュメントを認証するための記号を提供することである。
【課題を解決するための手段】
【００２５】
この目的を達成するため、本発明の第１の態様によれば、一様に金属化された領域と一様に透明な領域とが表面の長手方向に交互に形成された支持体を有して成るドキュメント保護ストリップであって、その交互配列により、適用されたドキュメントの複製防止手段となる、そのドキュメントにおいて広域と見なされる規模のコントラストを形成できるストリップにおいて、
前記一様に金属化された領域および/または一様に透明な領域に関連付けられ、前記ドキュメントの真正を確認するための認識可能な記号を形成できる、そのドキュメントにおいて精細と認定される規模の光学効果をもたらす光学活性素子を更に有して成ることを特徴とするストリップが提案される。
【００２６】
前記のようなストリップの好ましい態様には以下を含むがこれに限定されない。
【００２７】
‐前記精細規模の光学効果がコントラストである。
【００２８】
‐前記精細規模の光学効果がストリップの照明角度および/または観察角度に応じた視覚効果である。
【００２９】
‐前記一様に透明な領域が肉眼で見える光沢効果をもたらすニスに関連付けられている。
【００３０】
‐前記光学活性素子が金属化によって形成された光学活性構造体から成っている。
【００３１】
‐前記光学活性素子が光学可変素子から成っている。
【００３２】
‐少なくとも一部の前記光学活性構造体が、回折線から成る区域、純反射性金属化区域、回折マットから成る区域、ホログラムから成る区域、一様に金属化された領域における非金属化区域、印刷を施した区域、および一様に透明な領域における金属化区域のうちのひとつ以上の保護素子を有している。
【００３３】
‐少なくとも一部の前記光学活性構造体が、それぞれ異なる区域から成り、そのうちの一部が少なくともひとつの前記保護素子を有している。
【００３４】
‐少なくとも一部の前記区域が肉眼では即座に確認できない大きさの区域である。
【００３５】
‐少なくとも一部の前記光学活性素子が一様に金属化された領域に関連付けられている。
【００３６】
‐前記光学活性素子が回折性金属化領域に組み込まれた回折マットから成っている。
【００３７】
‐前記光学活性素子が純反射性金属化領域から成っている。
【００３８】
‐前記光学活性素子が、少なくとも一部の一様に回折性を有して成る領域である前記一様に金属化された領域のストリップの長手方向のそれぞれの側に配された純反射性金属化領域から成っている。
【００３９】
‐各々の前記一様に金属化され回折性を有して成る領域のそれぞれの側に純反射性金属化領域が当接配置されている。
【００４０】
‐各々の前記一様に金属化された回折領域のストリップの長手方向のそれぞれの側に前記領域と間隔を設けて純反射性金属化領域が配されている。
【００４１】
‐前記間隔が透明である。
【００４２】
‐少なくとも一部の前記光学活性素子が一様に透明な領域に関連付けられている。
【００４３】
‐前記光学活性素子が、少なくとも一部の前記一様に透明な領域のストリップの長手方向のそれぞれの側に配された純反射性金属化領域から成っている。
【００４４】
‐各々の前記一様に透明な領域のそれぞれの側に純反射性金属化領域が当接配置されている。
【００４５】
‐各々の前記一様に透明な領域のストリップの長手方向のそれぞれの側に前記領域と間隔を設けて純反射性金属化領域が配されている。
【００４６】
‐前記間隔が金属化され回折性を有して成る区域、および/または印刷を施した区域、および/または回折マット、および/またはホログラムを有して成る間隔である。
【００４７】
‐前記光学活性素子が前記一様に金属化された領域および/または一様に透明な領域と整合関係にある。
【００４８】
‐前記ストリップが発光モチーフまたは吸収モチーフに更に関連付けられている。
【００４９】
‐前記発光モチーフまたは吸収モチーフがストリップに重複して印刷されている。
【００５０】
‐前記印刷が一様に金属化された領域の少なくとも一部に重複して施されている。
【００５１】
‐前記印刷が一様に透明な領域の少なくとも一部に重複して施されている。
【００５２】
‐前記発光モチーフまたは吸収モチーフがストリップの内部に組み込まれている。
【００５３】
本発明の第２の態様によれば、前記態様のひとつを成すストリップを組み込んだセキュリティー・ドキュメントが提案される。
【００５４】
その他の態様は以下の添付図面を参照した本発明の説明により更に明確になる。  
【発明を実施するための最良の形態】
【００５５】
図３は本発明によるドキュメント保護ストリップ３０を示す概略図である。
【００５６】
ストリップ３０は、本発明による別のすべてのドキュメント保護ストリップ同様、図１を参照して説明した一般的な特徴を備えている。
【００５７】
従って、このストリップも長手方向に交互配列された一様に金属化された領域３１および一様に透明な領域３２を有している。（本明細書において、交互配列とは前記領域を交互に反復して配列することを意味する。）
本発明による保護ストリップは、図１および２を参照して説明した周知の種類のストリップ同様、転写、型押し、またはその他の方法によって保護すべきドキュメントに適用することができる。
【００５８】
図３に示すように、一様に金属化された領域３１は更に別の素子を有している。
【００５９】
具体的には、この素子は光学活性素子３１０である。
【００６０】
別の図から分かるように、別の種類の光学活性素子を本発明による保護ストリップに関連付けることもできる。
【００６１】
何れの場合も光学活性素子は数字または文字を成すことができる。
【００６２】
一般的に言えば、これ等の光学活性素子は予め定めた任意の図形に対応させることができる。
【００６３】
図３の場合、光学活性素子３１０は数字を成している。（この数字は、例えば、銀行紙幣の額面金額に対応させることができる。）
光学活性素子３１０はその背景（図３の場合、一様に金属化された領域３１）と組み合せて所定の光学効果をもたらすことができる。
【００６４】
この光学効果はコントラスとすることができる。
【００６５】
また、この光学効果はストリップの照明角度および/または観察角度に応じた視覚効果とすることもできる。
【００６６】
一様に金属化された領域３２と領域３２との間に設けられた一様に透明な領域３１が肉眼で見える光沢効果をもたらすニスに関連付けられていることが好ましい。
【００６７】
一様に透明な領域３１および一様に金属化された領域３２は、図では矩形で示してあるが、一般に任意の形状を成すことができる。
【００６８】
しかし、ストリップの一様に金属化された領域は、一般に複製を効果的に防止する上において十分に大きい大きさおよび緻密度を有している。
【００６９】
前記領域の大きさおよび緻密度のような条件に関する（限定されない）例が特許文献１に記載されている。
【００７０】
図３の実施の形態に戻り、光学活性素子３１０は一様に金属化された領域３１の内部に設けられている。
【００７１】
この一様に金属化された領域３１は純反射性金属化領域とすることができる。
【００７２】
また、領域３１は回折線、ホログラム、または領域３１の一般的な外見を変化させることができるその他の手段から成る領域を含むこともできる。
【００７３】
いずれにしても、光学活性素子３１０は、前記の光学効果が得られるよう一様に金属化された領域３１とは異なる光学特性を有している。
【００７４】
光学活性素子３１０は均質構造とすることができる。  
また、金属化によって形成することができる。
【００７５】
光学活性素子３１０は光学可変素子から成ることもできる。
【００７６】
本明細書において、“光学可変素子”とは照明角度および/または観察角度に応じて光学特性が変化する素子を意味する。特に、光学可変素子は回折構造体および/またはホログラム構造体を含んでいる。
【００７７】
従って、光学可変素子は一種の光学活性素子である。
【００７８】
一般に、光学活性素子３１０は回折線から成る区域、純反射性金属化区域、回折マットから成る区域、ホログラムから成る区域、一様に金属化された領域における非金属化領域、および印刷を施した区域のうちの何れかひとつの保護素子によって形成することができる。
【００７９】
また、光学活性素子３１０は複数の前記保護素子を含む構造体として形成することもできる。
【００８０】
従って、一般に、光学活性素子は一様に金属化された領域３１と一様に透明な領域３２との間に見られるコントラスト効果のような広域規模の光学効果より小さい規模の光学効果をもたらすことができる。
【００８１】
前記光学効果は精細規模と呼ぶ規模でもたらされる。従って、光学活性素子３１０はストリップ３０の内部に限定された光学効果をもたらす。
【００８２】
これにより、観察者は光学活性素子の存在を知ることができ、ストリップが適用されたドキュメントの識別および認証が可能となる。
【００８３】
図３の光学活性素子３１０は肉眼で容易に確認できる大きさを有している。しかし、肉眼では即座に確認できない大きさの光学活性素子を形成することもできる。
【００８４】
その場合、ドキュメントを注意深く観察することによって初めて光学活性素子の存在を知ることができドキュメントの認証が可能となる。
【００８５】
図３に示すように、光学活性素子３１０はストリップの一様に金属化された領域３１と整合関係にある。
【００８６】
本明細書において“整合関係”とは光学活性モチーフ３１０が一様に金属化された領域と当接関係になるよう体系的に配されることを意味する。
【００８７】
後で述べるように、このような光学活性素子をストリップの一様に透明な領域に関連付けることもできる。その関連付けも特に整合関係とすることができる。
【００８８】
従って、図３は光学活性素子３１０が一様に金属化された領域３１に関連付けられた本発明のひとつの実施の形態を示している。
【００８９】
前記のように、光学活性素子は回折マットから成るか、またはそれを含むことができる。
【００９０】
本明細書において“回折マット”とは単一波長の光を空間の全方角に回折する区域を意味する。従って、このような回折マットは照明角度および/または観察角度に関わらずすべて同じに見える。
【００９１】
図３に示す特定の実施の形態において、特に一般的な回折性を有する金属化された領域３１内において光学活性素子３１０を回折マットとすることができる。
【００９２】
光学活性素子３１０は純反射性金属化領域から成るか、またはそれを含むことができる。
【００９３】
図５ａに示す実施の形態において、純反射性金属化領域として形成された光学活性素子を少なくとも一部の一様に金属化された領域のストリップの長手方向のそれぞれの側に配することができる。
【００９４】
この場合もストリップの一様に金属化された領域は一般的な回折性を有する領域であってよい。
【００９５】
図５ａは、特に回折性を有することができる一様に金属化された領域５１と一様に透明な領域５２との交互配列、および光学活性素子である純反射性金属化領域を成す区域５３を示している。
【００９６】
図５ａに示す実施の形態において、区域５３は金属化領域５１のそれぞれの側に当接配置されている。
【００９７】
図５ｂに示す実施の形態において、前記光学活性素子である各々の純反射性領域５３をそれが関連付けられた一様に金属化された領域５１のストリップの長手方向に間隔を設けて配することもできる。
【００９８】
図５ｂにはそのような間隔５４が示されている。
【００９９】
このような間隔は例えば透明であってよい。    
図４は本発明の更に別の実施の形態を示している。
【０１００】
これまで説明した一様に金属化された領域および一様に透明な領域、光学活性素子、および保護すべきドキュメントへのストリップの適用に関わるすべての特徴は、本発明の別のすべての実施の形態同様、本実施の形態にも適用される。
【０１０１】
図４のストリップ４０の場合、光学活性素子４２０はストリップの一様に透明な領域４２に関連付けられている。
【０１０２】
更に、ストリップ４０は一様に金属化された領域４１も有している。
【０１０３】
この場合も、光学活性素子４２０は様々な形態を成すことができる。
【０１０４】
本実施の形態において、光学活性素子を一様に透明な領域４２における金属化区域に対応させることもできる。
【０１０５】
この場合も、光学活性素子は純反射性金属化区域の形態を成すことができる。
【０１０６】
別の実施の形態によれば、光学活性素子は少なくとも一部の透明領域のそれぞれの側に配された純反射性区域の形態を成すこともできる。
【０１０７】
この場合も、純反射性区域を成す光学活性素子をそれが関連付けられた一様に透明な領域に当接配置することができる。
【０１０８】
図示しない別の実施の形態によれば、各々の純反射性領域とそれが関連付けられた一様に透明な領域との長手方向の間に間隔を設けることができる。
【０１０９】
このような間隔は、特に、回折性金属化区域、および/または印刷を施した区域、および/または回折マット、および/またはホログラムを有して成る間隔とすることができる。
【０１１０】
本発明の別の実施の形態によれば、発光モチーフまたは光吸収モチーフを保護ストリップに関連付けることができる。
【０１１１】
特に、このようなモチーフはストリップに重複させて印刷することができる。
【０１１２】
前記印刷は保護すべきドキュメントにストリップを関連付ける前または後から施すことができる。このような印刷は、ストリップの一様に金属化された領域のみを（少なくとも部分的に）カバー、ストリップの一様に透明な領域のみを（少なくとも部分的に）カバー、ストリップの一様に金属化された領域および一様に透明な領域の両方を（少なくとも部分的に）カバーするようにして施すことができる。
【０１１３】
このような発光モチーフまたは吸収モチーフはストリップ内に組み込むこともできる。
【０１１４】
これは、例えば、そのようなモチーフを有する層をストリップの多層構造の厚みに配することによって達成することができる。
【０１１５】
このように、本発明は、特にストリップが適用されたドキュメントの識別および認証を可能とすることにより、図１および２を参照して説明した周知のストリップのセキュリティー・レベルを向上させることができる。
【０１１６】
本明細書で述べた本発明の各々の実施の形態を組み合せることができる。
【０１１７】
特に、ストリップの一様に金属化された領域および一様に透明な領域の両方に関連した光学活性素子を設けることができる。
【０１１８】
また、光学活性素子が所望の光学効果をもたらすことを条件に、ひとつの一様に金属化された領域とそれに隣接するひとつの一様に透明な領域の両方に延びる光学活性素子を配することもできる。
【図面の簡単な説明】
【０１１９】
【図１】一般に周知の種類のストリップを示す図。
【図２】図１に示す種類のストリップが適用されたドキュメントを示す図。
【図３】本発明のドキュメント保護ストリップの第１の実施の形態を示す概略図。
【図４】本発明のドキュメント保護ストリップの第２の実施の形態を示す概略図。
【図５ａ】本発明の別の実施の形態を示す概略図。
【図５ｂ】本発明の更に別の実施の形態を示す概略図。
【符号の説明】
【０１２０】
１０、３０、４０          保護ストリップ
２０                      ドキュメント
１１、３１、４１、５１    一様に金属化された領域
１２、３２、４２、５２    一様に透明な領域
５３                      区域
５４                      間隔
３１０、４２０            光学活性素子
【図１】
2007514562.tif 000003
【図２】
2007514562.tif 000004
【図３】
2007514562.tif 000005
【図４】
2007514562.tif 000006
2007514562.tif 000007
【国際調査報告】
2007514562.tif 000008
2007514562.tif 000009
2007514562.tif 000010
2007514562.tif 000011